(57)【要約】      （修正有）【課題】基板押さえ板を固定する水平保持アッセンブルホルダーを蝶番で基台に取付けることにより、押さえ板や押圧板等が一定の位置から水平に上下移動できることとした、水平保持機構及びそれを用いたプリント基板回路検査装置又は部品ハンダ付け装置を提供する。【解決手段】一対の蝶番固定台２と水平保持アーム用支柱３とプレート押えアーム５とが基台１上に設けられ、蝶番固定台２に蝶番６を介して取り付けてなる水平保持アッセンブリーホルダー７を固定してなる水平保持アッセンブリホルダー固定台８と、水平保持アッセンブリホルダー７先端に水平保持スプリング調整具１６を介して固定されてなるプレート板９とからなる機構であって、該プレート板９はさらに側面に設けたスライドピン１０を介して水平保持アーム４に設けた切込溝１１を移動しながら水平に上下移動する水平保持機構。【選択図】図１
2005136363.tif 000002
【特許請求の範囲】
【請求項１】
一対の蝶番固定台２と水平保持アーム用支柱３とプレート押えアーム５とが基台１上に設けられ、
前記蝶番固定台２に蝶番６を介して取り付けてなる水平保持アッセンブルホルダー７を固定してなる水平保持アッセンブルホルダー固定台８と、
前記水平保持アッセンブルホルダー７先端に水平保持スプリング調整具１６を介して固定されてなるプレート板９とからなる機構であって、
該プレート板９はさらに側面に設けたスライドピン１０を介して前記水平保持アーム４に設けた切込溝１１を移動しながら水平に上下移動することを特徴とする水平保持機構。
【請求項２】
一対の蝶番固定台２と水平保持アーム用支柱３とプレート押えアーム５とが基台１上に設けられ、
前記蝶番固定台２に蝶番６を介して取り付けてなる水平保持アッセンブルホルダー７を固定してなる水平保持アッセンブルホルダー固定台８と、
前記水平保持アッセンブルホルダー７先端に水平保持スプリング調整具１６を介して固定されてなるプレート板９とからなり、さらに水平保持アーム４に取り付けたセットレバー１２を押し下げることで該プレート板９の側面に設けたスライドピン１０を介して前記水平保持アーム４に設けた切込溝１１を水平移動し、
前記水平保持アッセンブルホルダー７底部に設けた下部ストッパー１５が基台に接したところでプレート板９の移動が止まり、さらに前記セットバー１２を押し下げると水平保持アッセンブルホルダー７のスプリング作用により水平保持アーム４が下がりながらプレート押えアーム５の突起部で固定されることを特徴とする水平保持機構。
【請求項３】
前記水平保持スプリング調整具１６は、水平保持アッセンブルホルダー７を挿通するスライドベアリング、シャフト、ストップリング、ビスから構成されてなることを特徴とする請求項１又は請求項２記載の水平保持機構。
【請求項４】
一対の蝶番固定台２と水平保持アーム用支柱３とプレート押えアーム５とプリント基板設置台とが基台１上に設けられ、
前記蝶番固定台２に蝶番６を介して取り付けてなる水平保持アッセンブルホルダー７を固定してなる水平保持アッセンブルホルダー固定台８と、
前記水平保持アッセンブルホルダー７先端に固定されてなる押え棒付きプレート板９と、
前記水平保持アーム４に取り付けたセットレバー１２を押し下げることで該プレート板８の側面に設けたスライドピン１０を介して前記水平保持アーム４に設けた切込溝１１を水平移動し、
前記水平保持アッセンブルホルダー７底部に設けた下部ストッパー１５が基台１に接したところでプレート板９の移動が止まり、さらに前記セットバー１２を押し下げると水平保持アッセンブルホルダー７のスプリング作用により水平保持アーム４が下がりながらプレート押えアーム５の突起部２５で固定されると共に、
プレート板に取り付けられた押え棒が、プリント基板設置台上の被基板に当接して均一に被基板を押圧し、被基板裏の測定ピンによって回路の導電性を測定することを特徴とするプリント基板回路検査装置。
【請求項５】
一対の蝶番固定台２と水平保持アーム用支柱３とプレート押えアーム５とプリント基板設置台とが基台１上に設けられ、
前記蝶番固定台２に蝶番６を介して取り付けてなる水平保持アッセンブルホルダー７を固定してなる水平保持アッセンブルホルダー固定台８と、
前記水平保持アッセンブルホルダー７先端に固定されてなる押え棒付きプレート板９と、
前記水平保持アーム４に取り付けたセットレバー１２を押し下げることで該プレート板８の側面に設けたスライドピン１０を介して前記水平保持アーム４に設けた切込溝１１を水平移動し、
前記水平保持アッセンブルホルダー７底部に設けた下部ストッパー１５が基台１に接したところでプレート板９の移動が止まり、さらに前記セットバー１２を押し下げると水平保持アッセンブルホルダー７のスプリング作用により水平保持アーム４が下がりながらプレート押えアーム５の突起部２５で固定されると共に、
プレート板に取り付けられた押え棒が、回路基板設置台２６上の被回路基板２７に当接して均一に被基板を押圧すると共に、
押圧状態を維持したまま前記基台１を９０°以上上方に立ち上げ固定可能な台座２８を有することを特徴とする部品ハンダ付け装置。
【発明の詳細な説明】
【技術分野】
【０００１】  本発明は、プレート板や押え棒付きプレート板が上方向から平行移動して被検査物に均一な圧力で当接できる水平保持機構であり、更に詳しくは、前記水平移動可能な水平保持機構を組み入れたプリント基板回路検査装置又は部品ハンダ付け装置に関するものである。
【背景技術】
【０００２】  従来のプリント基板回路検査装置は、基板押し棒を取り付けている基板押え板を上方から移動させていくと、先ず蝶番等で固定した元部に近い基板押し棒から順次基板に当接し、最後に最外側に位置する基板押し棒が当接するように、円運動で移動する。【０００３】  上記のように円運動して押え棒が被基板に順次当接するために、基板押え板の押圧力が均一にならず、被基板の裏側に設けた測定ピン（針）に当たる力が均一とならないために、正確な測定ができないという欠点を有していた。【０００４】  特開平１−１６９３７７号「電子部品挿入不良検査装置」は、「リード線と同数の接触ピンと、接触ピンと同数の電極および、接触ピンの自重による加圧防止用ポストを有する一対の可撓性プリント基板と圧力の刺激に応じて抵抗変化を示す導電素子からなることを特徴とする電子部品挿入不良検査装置が開示されている。【０００５】  実開平６−２８７６０号「プリント基板検査装置」は、「検査対象である第一治具と、第一治具に対して相対的に上下動可能であり、プローブ保持板によって保持されたプローブを有する第２治具とを備えたプリント基板検査装置」を開示し、変換基板に近接して配置された裏面電極に対する表面電極間の間隔を裏面電極間の間隔よりも広くして検査している。【０００６】  また、回路基板の後ろ側にハンダ付けをする作業としては、回路基板を設けた基板を手に持って裏面を出して押え、ハンダ付けの箇所を一個一個片手でハンダ付けをするため、時間がかかり、このため人件費を含んだ単価が高く付いていた。
【特許文献１】特開平１−１６９３７７号
【特許文献２】実開平６−２８７６０号
【発明の開示】
【発明が解決しようとする課題】
【０００７】  上記のように従来の検査装置では、基板押え板は円運動で移動するために、均一な押圧力が出ず、また、上下の水平移動させる検査装置の場合は、装置自体が大がかりとなっていて簡易に被検査基板であるプリント基板の検査ができなかった。【０００８】  また従来の回路基板へのハンダ付け手段のように、片手で回路基板を押えながら処理する方法でなく、回路基板を固定しながら一度にハンダ付け処理ができる手法の開発が望まれていた。
【課題を解決するための手段】
【０００９】  本発明者は係る課題を解決するために鋭意研究したところ、基板押さえ板を固定する水平保持アッセンブルホルダーを蝶番で基台に取付けると、押さえ板や押圧板等が一定の位置から水平に上下移動できることを見いだし、本発明の水平保持機構及びそれを用いたフリント基板回路検査装置を提供することができた。【００１０】  すなわち本発明の第一は、一対の蝶番固定台２と水平保持アーム用支柱３とプレート押えアーム５とが基台１上に設けられ、
前記蝶番固定台２に蝶番６を介して取り付けてなる水平保持アッセンブルホルダー７を固定してなる水平保持アッセンブルホルダー固定台８と、
前記水平保持アッセンブルホルダー７先端に水平保持スプリング持調整具１６を介して固定されてなるプレート板９とからなる機構であって、
該プレート板９はさらに側面に設けたスライドピン１０を介して前記水平保持アーム４に設けた切込溝１１を移動しながら水平に上下移動することを特徴とする水平保持機構である。【００１１】  本発明の第二は、一対の蝶番固定台２と水平保持アーム用支柱３とプレート押えアーム５とが基台１上に設けられ、
前記蝶番固定台２に蝶番６を介して取り付けてなる水平保持アッセンブルホルダー７を固定してなる水平保持アッセンブルホルダー固定台８と、
前記水平保持アッセンブルホルダー７先端に水平保持スプリング調整具１６を介して固定されてなるプレート板９とからなり、さらに水平保持アーム４に取り付けたセットレバー１２を押し下げることで該プレート板９の側面に設けたスライドピン１０を介して前記水平保持アーム４に設けた切込溝１１を水平移動し、
前記水平保持アッセンブルホルダー７底部に設けた下部ストッパー１５が基台に接したところでプレート板９の移動が止まり、さらに前記セットレバー１２を押し下げると水平保持アッセンブルホルダー７のスプリング作用により水平保持アーム４が下がりながらプレート押えアーム５の突起部で固定されることを特徴とする水平保持機構である。【００１２】  本発明の第三は、前記水平保持スプリング調整具１６は、水平保持アッセンブルホルダー７を挿通するスライドベアリング、シャフト、ストップリング、ビスから構成されてなることを特徴とする請求項１又は請求項２記載の水平保持機構である。【００１３】  本発明の第四は、一対の蝶番固定台２と水平保持アーム用支柱３とプレート押えアーム５とプリント基板設置台とが基台１上に設けられ、
前記蝶番固定台２に蝶番６を介して取り付けてなる水平保持アッセンブルホルダー７を固定してなる水平保持アッセンブルホルダー固定台８と、
前記水平保持アッセンブルホルダー７先端に固定されてなる押え棒付きプレート板９と、
前記水平保持アーム４に取り付けたセットレバー１２を押し下げることで該プレート板８の側面に設けたスライドピン１０を介して前記水平保持アーム４に設けた切込溝１１を水平移動し、
前記水平保持アッセンブルホルダー７底部に設けた下部ストッパー１５が基台１に接したところでプレート板９の移動が止まり、さらに前記セットバー１２を押し下げると水平保持アッセンブルホルダー７のスプリング作用により水平保持アーム４が下がりながらプレート押えアーム５の突起部２５で固定されると共に、
プレート板に取り付けられた押え棒が、プリント基板設置台上の被基板に当接して均一に被基板を押圧し、被基板裏の測定ピンによって回路の導電性を測定することを特徴とするプリント基板回路検査装置である。【００１４】  本発明の第五は、一対の蝶番固定台２と水平保持アーム用支柱３とプレート押えアーム５とプリント基板設置台とが基台１上に設けられ、
前記蝶番固定台２に蝶番６を介して取り付けてなる水平保持アッセンブルホルダー７を固定してなる水平保持アッセンブルホルダー固定台８と、
前記水平保持アッセンブルホルダー７先端に固定されてなる押え棒付きプレート板９と、
前記水平保持アーム４に取り付けたセットレバー１２を押し下げることで該プレート板８の側面に設けたスライドピン１０を介して前記水平保持アーム４に設けた切込溝１１を水平移動し、
前記水平保持アッセンブルホルダー７底部に設けた下部ストッパー１５が基台１に接したところでプレート板９の移動が止まり、さらに前記セットバー１２を押し下げると水平保持アッセンブルホルダー７のスプリング作用により水平保持アーム４が下がりながらプレート押えアーム５の突起部２５で固定されると共に、
プレート板に取り付けられた押え棒が、回路基板設置台２６上の被回路基板２７に当接して均一に被基板を押圧すると共に、
押圧状態を維持したまま前記基台１を９０°以上上方に立ち上げ固定可能な台座２８を有することを特徴とする部品ハンダ付け装置である。
【発明の実施の最良な形態】
【００１５】  本発明装置の詳細を図面を持って詳細に説明するが、本発明の範囲はこれらに限定されるものではない。
【実施例１】
【００１６】  図１は、本発明の水平保持機構を示す斜視図である。本発明の水平保持機構は、基台１の上に、一対の蝶番固定台２、２’、水平保持アーム用支柱３、３’とプレート押えアーム５、５’とが平行に立地されている。【００１７】  前記一対の蝶番固定台２、２’と蝶番６、６’でネジ固定される水平保持アッセンブルホルダー固定台８には、左右２個の水平保持アッセンブルホルダー７がＴ字状にビス固定され、更にこの２個の水平保持アッセンブルホルダー７には、水平保持スプリング調整具１６が挿通して固定されているると共に、一方で、水平保持スプリング調整具１６の先端部は、プレート板９の端部側に設けられた孔部を挿通してビス固定されるために、左右２個の水平保持アッセンブルホルダー７とプレート板９とが水平保持スプリング調整具１６を介して連結する構造となっている。【００１８】  さらに前記プレート板９は、プレート板側面に設けたスライドピン１０が一対の水平保持アーム用支柱３に回動自在に取付けられたプレート押え板１４、水平保持アーム４、セットレバー１２とを各々ビス固定させて一体化したレバー体１８の切込溝１１内を移動可能に固定されるために、結果として水平保持アッセンブルホルダー板８と前記レバー体１８の動きによって前後に移動する。【００１９】  図２は、本発明の水平保持機構のプレートを水平位置に移動させた状態を示す斜視図である。この場合、セットレバー１２を手前に引いてくるとプレート板９のスライドピンがレバー体の切込溝上部で係止されたまま手前に移動するために、付随してレバー板９本体も手前に移動し、水平保持スプリング調整具１６、水平保持アッセンブルホルダー７を介して水平保持アッセンブルホルダー板８が手前側に起き出し、蝶番６が直角になった時点でプレート板９は基台に対して水平な位置となっている。【００２０】  なお、この場合、水平保持アッセンブルホルダー７の下向きに取付けられている左右の下側ストッパー１５が基台面に接触して固定されるために、前記水平保持アッセンブルホルダー板８がさらに手前に倒れることはない。【００２１】  さらに前記セットレバー１２を押し下げると、図３に示すようにプレート板９のスライドピン１０はレバー体の切込溝１１内を反対側に移動するため、プレート板９が水平に下方に下がってくるが、プレート板９に別途取付けてある一対の上部ストッパー１３の先端が前記水平保持アッセンブルホルダー７に接触した時点で、水平移動は止まるようになっている。【００２２】  さらに前記レバー体１８をプレート押えアーム５に係止するために若干押し下げると、基台状に設けられたストッパー受け１７に水平保持スプリング調整具１９の下端部が接触するが、スプリングの作用で若干の上下運動ができるためにレバー体１８の側面端部をプレート押え５の切り込み部（図示せず）に係止できるようになっている。【００２３】  本発明の水平保持機構において、水平保持アッセンブルホルダー７に取付けた水平保持スプリング調整具１６は、前記ホルダーに開けた孔部にシャフトを挿通し、ホルダー７本体の底部にストップリングを設け、ホルダー７本体の上部側にはスライドベアリングをシャフト外面に嵌合し、さらにシャフト先端部はプレー��板９の端部に設けた孔部を挿通させてビス止めすることで、水平保持アッセンブルホルダー７とプレート板９とを連結している。
【実施例２】
【００２４】  図４は、本発明機構を応用したプリント基板検査装置を示す斜視図である。本発明のプリント基板検査装置は、図１〜図３に示す機構の他に相対する基板保持設置台２１を基台１手前側に設け、被検査基板２０であるプリント基板を前記基板保持台２１に設置する。【００２５】  該被検査基板２０の下には、測定ピン（図示せず）が設置され装置の外に設けられた測定計（図示せず）とコード２４で接続されている。【００２６】  被検査基板２０を基板保持設置台２１に設置した後に、レバー体１８のセットレバー１２を手前に移動させると、実施例１と同様に、押え棒付きプレート板１９のスライドピン（図示せず）がレバー体１８の切込溝上部（図示せず）で係止されたまま手前に移動するために、付随して押え棒付きプレート板１９本体も手前に移動し、水平保持スプリング調整具１６、水平保持アッセンブルホルダー７を介して水平保持アッセンブルホルダー板８が手前側に起き出し、蝶番６が直角になった時点で押え棒付きプレート板１９は被検査基板２０に対して水平な位置で相対する。【００２７】  さらに、レバー体１８のセットレバー１２を手前に移動させると、押え棒付きプレート板１９は水平に下がってきて被検査基板２０に接触して均一の押圧力で被検査基板２０を押しながら導電して、測定をおこなう。
【実施例３】
【００２８】  図６は、本発明機構を応用した部品ハンダ付け装置を示す斜視図である。本発明の部品ハンダ付け装置は、図１〜図３に示す機構の他に相対する回路基板設置台２６を基台１手前側に設け、被回路基板２７であるプリント基板を前記回路基板設置台２６に設置する。【００２９】  前記基台１及び回路基板設置台２６は、これらが同時に上方に立ち上がり可能な台座２の任意の箇所に開口された開口部３０に、被回路基板２７の縁部が載置されるように設けられている。【００３０】  被回路基板２７を回路基板設置台２６に設置した後に、レバー体１８のセットレバー１２を手前に移動させると、実施例１と同様に、押え棒付きプレート板１９のスライドピン（図示せず）がレバー体１８の切込溝上部（図示せず）で係止されたまま手前に移動するために、付随して押え棒付きプレート板１９本体も手前に移動し、水平保持スプリング調整具１６、水平保持アッセンブルホルダー７を介して水平保持アッセンブルホルダー板８が手前側に起き出し、蝶番６が直角になった時点で押え棒付きプレート板１９は被回路基板２７に対して水平な位置で相対する。【００３１】  さらに、レバー体１８のセットレバー１２を手前に移動させると、押え棒付きプレート板１９は水平に下がってきて被回路基板２７に接触して均一の押圧力で被回路基板２７の表面を押える。【００３２】  次いで、上記被回路基板２６を表面から押えて固定した状態で、前記基台１及び回路基板設置台２６を手前から上方に上げると台座２８から９０°以上、好ましくは１２０°前後で位置止めして回路基板の裏面を作業者側に見え易いようにした。【００３３】  作業者は、従来のように回路基板を片手で押えなくてもよく、また、順次ハンダ付けの箇所にハンダを両手で、あるいは自由な片手で接合できるために、単位時間当たりの作業量は従来の接合手段に比べて遙かに早くなった。
【産業上の利用可能性】
【００３４】  本発明の水平保持機構は、例示としてプリント基板回路検査装置及び部品ハンダ付け装置に用いたが、均一な押圧力を必要とする装置には応用できるものであり、簡易な構造であるからコストの安い装置に利用できるものである。
【図面の簡単な説明】
【００３５】
【図１】本発明の水平保持機構を示す斜視図である。
【図２】本発明の水平保持機構のプレートを水平位置に移動させた状態を示す斜視図である。
【図３】本発明の水平保持機構の水平保持アームをプレート押えアームに係止させた状態を示す斜視図である。
【図４】本発明機構を応用したプリント基板検査装置を示す斜視図である。
【図５】従来のプリント検査装置を示す顔面図である。
【図６】本発明機構を応用した部品ハンダ付け装置を示す斜視図である。
【符号の説明】
【００３６】１・・・基台
２・・・蝶番固定台
３・・・水平保持アーム用支柱
４・・・水平保持アーム
５・・・プレート押えアーム
６・・・蝶番
７・・・水平保持アッセンブルホルダー
８・・・水平保持アッセンブルホルダー固定板
９・・・プレート板
１０・・スライドピン
１１・・切込溝
１２・・セットレバー
１３・・上部ストッパー
１４・・プレート押え板
１５・・下部ストッパー
１６・・水平保持スプリング調整具
１７・・下部ストッパー受け
１８・・レバー体
１９・・押え棒付きプレート板
２０・・被プリント基板
２１・・基板設置台
２２・・基板押え板
２３・・測定ピン
２４・・コード
２５・・プレート押えアー厶突起部
２６・・回路基板設置台
２７・・被回路基板
２８・・台座
２９・・蝶番
３０・・開口部
【図１】
2005136363.tif 000003
【図２】
2005136363.tif 000004
【図３】
2005136363.tif 000005
【図４】
2005136363.tif 000006
【図５】
2005136363.tif 000007
【図６】
2005136363.tif 000008